(57)【要約】【解決する課題】本発明は、既存の住宅や老朽化した住宅に耐震性を持たせるために、住宅の壁面のどこにでも簡単に取り付けることが可能であり、取り付けた位置からブレースで容易に引っ張り、住宅に耐震性を与えることができる耐震用のブレース金物を提供する。【課題を解決する手段】建物の壁面に取着する部分である壁面取着部１１を有し、該壁面取着部１１は既存の建物の壁面に着設するためのボルト穴１２が設けられている。ブレース金物１００の側面に前記壁面に取着する部分から外方向であって、取付面に平行に屈曲した面１４を有する少なくとも１片の板状体１３を突設し、該屈曲した板状体１３の端部にブレースを係止することができるボルト穴１５を有する。本発明のブレース金物１００は、取付位置を選ばずにブレースを引っ張る方向にどこにでも着設することができる。【選択図】図１
2004324144.tif 000002
【特許請求の範囲】
【請求項１】
木造住宅の耐震補強に使用するブレース金物であって、該ブレース金物は建物の壁面に取着する部分と、該壁面に取着する部分の側面に屈曲した少なくとも１片の板状体を突設し、該屈曲した板状体の端部にブレースを係止することができるボルト穴を有することを特徴とする耐震補強用ブレース金物。
【請求項２】
壁面に取着する部分の側面に突設した屈曲した板状体に対向する側に、さらに板状体を突設させたことを特徴とする請求項１に記載の耐震補強用ブレース金物。
【請求項３】
木造住宅の耐震補強に使用するブレース金物であって、該ブレース金物は建物の壁面に取着する部分がアングルであって、該アングルの内面にブレースを係止するための少なくとも１片の板状体を突設し、該板状体にはブレースを係止することができるボルト穴を有することを特徴とする耐震補強用ブレース金物。
【請求項４】
アングルのコーナーから４５度の角度で垂直に板状体を突設したことを特徴とする請求項３に記載の耐震補強用ブレース金物。
【発明の詳細な説明】
【０００１】
【発明が属する技術分野】
本発明は、耐震性のない既存の住宅や老朽化した住宅を耐震補強するために用いる耐震補強用のブレース金物に関する。
【０００２】
【従来の技術】
阪神大震災においては、老朽化した耐震性のない既存の住宅は１階部分が崩れ落ちたことによって、１階で就寝していた家庭での被害が大きく、木造住宅における１階部分の耐震性が大きな話題となった。また、最近、東海地震の発生が予想されていることから、既存住宅の耐震補強が注目されている。特に、壁のない木造の家、壁があっても筋交いのない家、老朽化した家等が危険とされ、このような木造住宅の補強のためには、基礎の補強、土台の補強、柱の補強、胴差しの補強、壁、筋交いの補強等が考えられている。
【０００３】
例えば、特許文献１では、「木造住宅の耐力壁を構成する柱梁架構の面内へ取り付けて耐震補強を行うブレース金物であって、住宅の柱梁接合部の内隅へ取り付けられるコーナー金物と、前記コーナー金物と連結金物を介して応力の伝達が可能で緊結されるアンボンドブレース材との組み合わせからなり、前記コーナー金物は、住宅の柱梁接合部の内隅へ当てがわれる直角２辺に複数の木ネジ等で固定されるフランジが形成され、三角形上のウェブに連結金物を取り付ける要素を設けた構成であり、前記ブレース材は、その端部に前記連結金物の受け部に緊結する手段を備え、その端部にブレース材を緊結可能とする受け部を有する構成であり、前記ブレース材は、その端部に前記連結金物の受け部に緊結する手段を備え、且つ張力の導入が可能な機構を備えていると共にその外周に補剛管が緩く全長にわたり嵌められたアンボンド構造であることをそれぞれ特徴とする、木造住宅の耐震補強用内付けブレース金物。」が開示されている。
【０００４】
また、特許文献２においては、「既存木造住宅の柱梁接合部等へ仕上げ材の外面から外付けして耐震補強を行うブレース金物であって、住宅の柱梁接合部へ外付けされる接合金物と、前記接合金物と連結金物を介して応力の伝達が可能に緊結されるブレース材との組み合わせからなり、前記接合金物は、住宅の柱梁接合部等へ複数の木ネジ等で固定される着座部の外面側の略中央に、柱又は梁に固定する支軸材を通す通孔を持つ軸拘束部が突設された構成であり、前記連結金物は、前記接合金物を利用して既存木造住宅の柱又は梁に固定された支軸材と連結されるもので、その端部にブレース材を緊結する受け部を有する構成であり、前記ブレース材は、その端部に前記連結金物の受け部に緊結する手段を備え、且つ張力の導入が可能な機構を備えていることをそれぞれ特徴とする、既存住宅の外付け型耐震補強ブレース金物。」が開示されている。
【０００５】
上記文献においてはブレースを用いた耐震補強の方法が考案されている。特許文献１に開示されているブレース金物は、住宅の柱梁接合部の内隅へ取り付けられるコーナー金物と、このコーナー金物と連結金物を介して応力の伝達が可能で緊結されるアンボンドブレース材との組み合わせからなるものである。このコーナー金物は、亜鉛メッキ等の防錆処理を施された厚さ４．５ｍｍ程度の鋼板を折り曲げ加工して、直角２辺の長さが２５０ｍｍ、フランジの幅が４５ｍｍ程度の大きさに製作されたものである（特許文献１第５頁段落０００７参照）。
【０００６】
また、特許文献２のブレース用金物は、住宅の柱梁接合部等へ複数の木ネジ等で固定される着座部の外面側の略中央に、柱又は梁に固定する支軸材を通す通孔を持つ軸拘束部が突設された構成であり、前記連結金物は、前記接合金物を利用して既存木造住宅の柱又は梁に固定された支軸材と連結されるものである（特許文献２第７頁第３行目より参照）。特許文献１のコーナー金物は直角２辺で１辺が開口した三角形形状のものであり、特許文献２のブレース金物は円形のコーナー金物が開示されている。このように形状が三角、あるいは円形のブレース金物は既存の住宅にブレース金物を取り付ける位置が限定されものである。既存の住宅や老朽化した住宅の耐震補強のためには、柱や、梁に限定されないで、住宅の内壁や外壁に容易に取り付けることができるブレース金物の出現が望まれている。
【０００７】
【特許文献１】登録実用新案第３０４０６４９号公報
【特許文献２】登録実用新案第３０４０６５０号公報
【０００８】
【発明が解決する課題】
本発明は、既存の住宅や老朽化した住宅に耐震性を持たせるために、住宅の壁面のどこにでも簡単に取り付けることが可能であり、取り付けた位置からブレースで容易に引っ張り、住宅に耐震性を与えることができる耐震用のブレース金物を提供するものである。
【０００９】
【課題を解決する手段】
上記事実に鑑みて、鋭意研究を重ねた結果、壁面に取り付けるための部分と、この部分の側面にブレースを取り付けるための少なくとも１片の板状体を突設することによって、壁面の何れの位置にでも取り付け可能なブレース金物を作成し、既存の住宅や老朽化した住宅の耐震補強に成功した。
【００１０】
本発明の特徴は、木造住宅の耐震補強に使用するブレース金物であって、該ブレース金物は建物の壁面に取着する部分と、該壁面に取着する部分の側面に屈曲した少なくとも１片の板状体を突設し、該屈曲した板状体の端部にブレースを係止することができるボルト穴を有することを特徴とする耐震補強用ブレース金物である。壁面に取着する部分の側面に屈曲した少なくとも１片の板状体を突設することにより、既存の建物の内外を問わず補強する面の何れの箇所に取着してブレースで補強することができる。
【００１１】
本発明の別の特徴は、壁面に取着する部分の側面に突設した屈曲した板状体に対向する側に、さらに板状体を突設させたことを特徴とする請求項１に記載の耐震補強用ブレース金物である。壁面に取着する部分の両側に板状体を突設することによって、２方向に向けてブレースで補強することができる。
【００１２】
本発明の別の特徴は、木造住宅の耐震補強に使用するブレース金物であって、該ブレース金物は建物の壁面に取着する部分がアングルであって、該アングルの内面にブレースを係止するための少なくとも１片の板状体を突設し、該板状体にはブレースを係止することができるボルト穴を有することを特徴とする耐震補強用ブレース金物である。アングルに直接ブレースを取着するのに比較して、アングルの取付位置が限定されない。
【００１３】
本発明の別の特徴は、アングルのコーナーから４５度の角度で垂直に板状体を突設したことを特徴とする請求項３に記載の耐震補強用ブレース金物である。アングルを既存の建物に取着して、補強の必要な箇所にアングルから対角線上にブレースを掛けることができる。
【００１４】
【本発明の実施の態様】
本発明の実施の態様を以下に図面を使用して具体的に説明するが、本発明の耐震補強用のブレース金物は、以下の実施例に限定されるものではない。
【００１５】
本発明のブレース金物１００は図１に示すように、建物の壁面に取着する部分である壁面取着部１１を有し、該壁面取着部１１は既存の建物の壁面に着設するためのボルト穴１２が設けられている。ブレース金物１００の側面に前記壁面に取着する部分から外方向であって、取付面に平行に屈曲した面１４を有する少なくとも１片の板状体１３を突設し、該屈曲した板状体１３の端部にブレースを係止することができるボルト穴１５を有する。本発明のブレース金物１００は、取付位置を選ばずにブレースを引っ張る方向にどこにでも着設することができる。本発明のブレース金物１００は１片の屈曲した板状体１３を取着しているが、壁面取着部１１の両側に屈曲した２片の板状体を取着してもよい。
【００１６】
図２は本発明ブレース金物１００を壁面Ａに着設してブレース１６を係合させた状態を示す。図２に示す本発明のブレース金物の取付方法は壁面Ａに取り付けているが、床面Ｂに取り付けてもよく、あるいは既存の建物の内壁のみならず外壁にも取着することができる。本発明のブレース金物１００を取り付ける方向、取り付ける位置は既存住宅の耐震性を強化するための方法に合致する方法にしたがって取り付ければよく、取付位置、取付場所は特に限定されるものではない。
【００１７】
図３はブレース金物１００に着設するブレースの着設部分の一方端を示す。図３中の当接部１６ａはブレース金物の屈曲部１４に当接する部分であり、ボルト穴１６ｂはブレース金物のボルト穴１５に衝合させてボルトとナットで固定する部分である。ブレース１６の他方端を上記同様にブレース金物１００に固定した後、図３に示す雄ねじ部１６ｃと雌ネジ部１６ｄの雌ネジ部１６ｄを回転させて、ブレース１６に張力を与え、既存住宅に耐震性を持たせることができる。
【００１８】
図４に示すブレース金物１００は、屈曲した板状体１３の対向する側にさらに板状体１７を突設させたブレース金物１００である。図４に示す本発明のブレース金物１００は、壁面に着設する部分のボルト穴１２の設けられた壁面取着部１１の側面の一方側に、壁面に取着する部分の側面から外方向に屈曲部１４を有する少なくとも１片の板状体１３を突設し、該屈曲した板状体１３の端部にはブレースを係止することができるボルト穴１５を有する。他方側には１片の板状体１７を取着した。壁面取着部１１に着設した板状体１３，１７は壁面取着部１１に対して４５度の角度で壁面側に開いた状態で取着することによって、ブレース１６を取り付けた時に壁面より大幅に突出しないようにできる。本発明のブレース金物１００は建物の内、外等の取付位置を選ばずにブレースを引っ張る方向にどこにでも着設することができる。本発明のブレース金物１００は１片の屈曲部１４を有する板状体１３を取着しているが壁面取着部１１の両側に屈曲部１４を有する２片の板状体を取着してもよい。
【００１９】
図５は本発明ブレース金物１００を壁面に着設してブレース１５を係合させた状態を示す。図５中でＡは壁面を示し、Ｂは床面を示すが、天井側に着設した場合はＡを壁面とし、Ｂが天井面となる。図５に示すブレース金物は３方にブレースで引っ張ることが可能であり、さらに板状体１９の代わり屈曲部１４を有する板状体１７を設けることによって、四方にブレースで引っ張ることも可能である。本発明のブレース金物１００は建物の内壁に限らず、建物の外側からの耐震補強にも利用することができる。
【００２０】
木造住宅の耐震補強に使用するアングル付きのブレース金物２００の形態を図６に示す。図６のアングル付きのブレース金物２００は、壁面に取着する部分がアングル２１であって、該アングル２１の内面にブレースを係止するための少なくともアングルの角度に合わせて屈曲した１片の板状体２２を突設し、該板状体２２にはブレースを係止することができるボルト穴１５を有する耐震補強用ブレース金物である。図６においてはボルト穴１５は一箇所のみであるが、必要に応じて二箇所のボルト穴１５を設けて２方向に引っ張ることもできる。
【００２１】
図７はアングルに９０度に屈曲した板状体２４を取着したブレース金物にブレース１６をボルト１５ａで着設した例を示す。図６、７に置いては屈曲した板状体に１箇所のボルト穴１５を設けているが、ボルト穴１５は屈曲した板状体の両側に２箇所設けてもよい。
【００２２】
図８に示すアングル付きのブレース金物はボルト穴１５の高さが異なる２片の板状体２２、２３を取り付けたもので、アングル２１の角から４５度に取り付けた板状体２３は天井面または床面のコーナーから対角線上にブレース１６を引っ張る場合に利用することができる。アングル２１の側面に平行に取着した板状体２２は壁面に沿ってブレースを引っ張ることができる。アングル２１の側面に平行な板状体２２は図８では４５度に取り付けた板状体２３の片側１箇所に取着しているが、４５度に取り付けた板状体２３の両側に２箇所取り付けてもよい。
【００２３】
図９はアングル付きのブレース金物２００を壁面に取着して、ブレース１６を係合させた例を示している。アングル付きのブレース金物２００は、建物のコーナーに取着するためのもので、従来のアングルだけのものより、ブレースを引っ張る方向を任意に調節できるとともに、アングルに直接ブレースを取り付ける方法に比べて、コーナーに寄せてアングルを取り付けることができ、アングルの取付位置が限定されず、融通が効く等の効果を有している。
【００２４】
【発明の効果】
本発明のブレース用金物は、既存の建物の耐震補強するために必要な部分に適合するブレース金物を選択して、このブレース金物を既存の住宅の壁面に着設して、ボルトで固定する。固定されたブレース金物にブレースを係合させて引っ張ることによって既存の住宅に耐震効果をもたらすことができる。本発明のブレース金物は、既存の建物の柱や梁に限定されることなく、耐震補強工事の必要な箇所に早く、しかも安価に既存建物に耐震補強をすることが出来る効果を有している。
【図面の簡単な説明】
【図１】屈曲した板状体を有するブレース金物の斜視図である。
【図２】屈曲した板状体を有するブレース金物を壁面に着設した斜視図である。
【図３】ブレース金物に係合するブレースの部分上面図である。
【図４】屈曲した板状体を有するブレース金物の斜視図である。
【図５】屈曲した板状体を有するブレース金物を壁面に着設した斜視図である。
【図６】アングル付きのブレース金物の斜視図である。
【図７】アングル付きのブレース金物を壁面に着設した斜視図である。
【図８】アングル付きのブレース金物の斜視図である。
【図９】アングル付きのブレース金物を壁面に着設した斜視図である。
【符号の説明】
１００：ブレース金物
２００：アングル付きのブレース金物
１１：壁面取着部
１２：ボルト穴
１３：屈曲した板状体
１４：屈曲部
１５：ボルト穴
１６：ブレース
１６ａ：当接部
１６ｂ：ボルト穴
１６ｃ：雄ネジ部
１６ｄ：雌ネジ部
１７：板状体
２１：アングル
２２：板状体
２３：板状体
【図１】
2004324144.tif 000003
【図２】
2004324144.tif 000004
【図３】
2004324144.tif 000005
【図４】
2004324144.tif 000006
【図５】
2004324144.tif 000007
【図６】
2004324144.tif 000008
【図７】
2004324144.tif 000009
【図８】
2004324144.tif 000010
【図９】
2004324144.tif 000011